(57)【特許請求の範囲】
【請求項１】
無線周波数（ＲＦ）信号生成器からのＲＦ信号を受信すると共に、前記信号生成器により送信された前記ＲＦ信号の特性を変更するために受信機へＲＦ信号を送信するタイプの無線装置をテストする装置であって、
無線装置（１２７）へ無線信号（ＲＦ１０）を送信するために、入力デジタル信号（ＤＳＩＧ１０）を受信する手段を含み、前記入力デジタル信号にしたがって送信された前記ＲＦ信号（ＲＦ１０）の特性を制御するＲＦ信号生成器（１２２）と、
前記無線装置（１２７）からのＲＦ信号（ＲＦ１１）を受信するために、受信された前記ＲＦ信号の特性に依存する特性を有する出力デジタル信号（ＤＳＩＧ１４，ＤＳＩＧ１５）を生成する手段を含むＲＦ受信機と、
デジタル信号（ＤＳＩＧ３）を生成し出力するためのデジタル信号生成器（１０２）と、
前記デジタル信号生成器（１０２）からの前記デジタル信号（ＤＳＩＧ３）を受け入れると共に前記ＲＦ受信機（１２９）からの前記デジタル信号（ＤＳＩＧ１４，ＤＳＩＧ１５）を受け入れて、前記ＲＦ受信機（１２９）からの前記デジタル信号（ＤＳＩＧ１４，ＤＳＩＧ１５）に基づいて、前記デジタル信号生成器（１０２）からの前記デジタル信号（ＤＳＩＧ３）を変形し、前記ＲＦ信号生成器（１２２）へと入力される前記デジタル信号（ＤＳＩＧ１０）の基底を提供するための第１の変形されたデジタル信号（ＤＳＩＧ１１，ＤＳＩＧ１２）を出力するために接続された信号変形手段（１１１，１１２）と、
を備える携帯電話テスト装置。
【請求項２】
前記無線装置は、セルラ電話である請求項１に記載の携帯電話テスト装置。
【請求項３】
デジタル信号（ＤＳＩＧ１，ＤＳＩＧ２）を生成して出力する第２のデジタル信号生成器（１００，１０３）が設けられ、前記第２のデジタル信号生成器（１００，１０３）からのデジタル信号（ＤＳＩＧ１，ＤＳＩＧ２）を受信するために接続されると共に前記第１の信号変形手段（１１１，１１２）からの前記第１の変形されたデジタル信号（ＤＳＩＧ１１，ＤＳＩＧ１２）を受信し、前記第２のデジタル信号生成器（１００，１０３）からの前記デジタル信号（ＤＳＩＧ１，ＤＳＩＧ２）に基づいて前記第１の変形デジタル信号（ＤＳＩＧ１１，ＤＳＩＧ１２）を変形し、前記ＲＦ信号生成器（１２２）へと入力される前記デジタル信号（ＤＳＩＧ１０）の基底を提供するための第２の変形されたデジタル信号（ＤＳＩＧ４，ＤＳＩＧ５）を出力するために接続された第２の信号変形手段（１０５，１０７）が設けられている請求項１または請求項２に記載の携帯電話テスト装置。
【請求項４】
前記第２の変形デジタル信号を受信するために接続されたデジタルフェーディングシミュレータ（１１２，１１６）を含み、前記デジタルフェーディングシミュレータの出力（ＤＳＩＧ６，ＤＳＩＧ７）は、その特性が既に変形されている前記第２の変形デジタル信号（ＤＳＩＧ４，ＤＳＩＧ５）を含む請求項３に記載の携帯電話テスト装置。
【請求項５】
前記デジタルフェーディングシミュレータは、前記第２の変形デジタル信号（ＤＳＩＧ４，ＤＳＩＧ５）の前記デジタル信号要素の少なくとも１つを変化させてこれにより前記ＲＦ信号生成器（１２２）により送信された前記ＲＦ信号（ＲＦ１０）の位相または振幅または遅延を変化させるための手段を含む請求項４に記載の携帯電話テスト装置。
【請求項６】
前記フェーディングシミュレータは、時間に関する所定のパターンに基づいて１つまたはそれ以上の前記デジタル信号要素を変化させる手段を含む請求項５に記載の携帯電話テスト装置。
【請求項７】
前記ＲＦ受信機（１２９）は、この受信機（１２９）により受信されたＲＦ信号（ＲＦＩＩ）の異なる特性に基づいた特性を有する２つの出力デジタル信号（ＤＳＩＧ１４，ＤＳＩＧ１５）を生成する手段を含むと共に、それぞれデジタル信号（ＤＳＩＧ１，ＤＳＩＧ２）を出力する第２および第３のデジタル信号生成器（１００，１０３）が設けられ、前記信号変更手段（１１１，１１２）は、前記第１のデジタル信号生成器（１０２）からのデジタル信号（ＤＳＩＧ３）をそれぞれ受信すると共に前記ＲＦ受信機からの各デジタル信号（ＤＳＩＧ１４，ＤＳＩＧ１５）を受信して、前記ＲＦ受信機からの前記デジタル信号（ＤＳＩＧ１４，ＤＳＩＧ１５）に基づいて前記第１のデジタル信号生成器（１０２）からの前記デジタル信号（ＤＳＩＧ３）を変形し、各々の第１および第２の変形された信号（ＤＳＩＧ１１，ＤＳＩＧ１２）を出力するために接続された第１および第２の信号変形手段（１１１，１１２）と、前記第１または第２の信号変形手段（１１１，１１２）の各々からのデジタル信号（ＤＳＩＧ１１、ＤＳＩＧ１２）を受信して、前記関連する第２および第３のデジタル信号生成器（１００，１０３）からの前記デジタル信号（ＤＳＩＧ１，ＤＳＩＧ２）に基づいて前記各々の変形されたデジタル信号（ＤＳＩＧ１１，ＤＳＩＧ１２）を変形し、各々の第３および第４の変形された信号（ＤＳＩＧ４，ＤＳＩＧ５）、および、前記ＲＦ信号生成器（１２２）へと入力される前記デジタル信号を提供する前記第３および第４の変形された信号（ＤＳＩＧ４，ＤＳＩＧ５）を導き出されたデジタル信号の結合を出力するために接続された第３および第４の信号変形手段（１０５，１０７）と、を備えている請求項１または請求項２に記載の携帯電話テスト装置。
【請求項８】
前記第３の変形されたデジタル信号（ＤＳＩＧ４）を受信するために接続された第１のデジタルフェーディングシミュレータ（１１６）であって、この第１のデジタルフェーディングシミュレータ（１１６）の出力（ＤＳＩＧ６）は、その特性がこの第１のデジタルフェーディングシミュレータ（１１６）により既に変形された第５の変形デジタル信号（ＤＳＩＧ６）を含む第１のデジタルフェーディングシミュレータ（１１６）と、
前記第４の変形されたデジタル信号（ＤＳＩＧ５）を受信するために接続された第２のデジタルフェーディングシミュレータ（１１２）であって、この第２のデジタルフェーディングシミュレータ（１１２）の出力（ＤＳＩＧ７）は、その特性がこの第２のデジタルフェーディングシミュレータ（１１２）により既に変形された第６の変形デジタル信号（ＤＳＩＧ７）を含む第２のデジタルフェーディングシミュレータ（１１２）と、そして
第７のデジタル信号（ＤＳＩＧ８）を提供するために前記第５および第６のデジタル信号を結合させるデジタル信号結合手段（１１９）と、
を含む請求項７に記載の携帯電話テスト装置。
【請求項９】
各々のデジタルフェーディングシミュレータ（１１６、１１２）は、前記第３または第４の変形デジタル信号（ＤＳＩＧ４，ＤＳＩＧ５）の前記デジタル信号要素のうちの少なくとも１つを変更して前記ＲＦ信号生成器（１２２）により送信されたＲＦ信号（ＲＦ１０）の位相または振幅または遅延を変更するための手段を含む請求項８に記載の携帯電話テスト装置。
【請求項１０】
各デジタルフェーディングシミュレータ（１１６，１１２）は、時間に関する所定のパターンに基づいて１つまたはそれ以上の前記デジタル信号要素を変化させる手段を含む請求項９に記載の携帯電話テスト装置。
【請求項１１】
白ノイズデジタル信号生成器（１２４）が設けられ、前記白ノイズデジタル信号生成器のデジタル出力信号（ＤＳＩＧ９）は、前記ＲＦ信号生成器（１２２）へと入力されるデジタル信号（ＤＳＩＧ１０）に供給される請求項１ないし請求項１０の何れかに記載の携帯電話テスト装置。
【請求項１２】
前記第１のデジタル信号生成器（１０２）は、ＲＦ信号生成器（１２２）へと供給されるときに共通チャネルＲＦ信号に対応するデジタル信号（ＤＳＩＧ３）を提供すると共に、前記第２および第３のデジタル信号生成器（１００，１０３）は、前記ＲＦ信号生成器（１２２）に供給されるときにアンテナ特定ＲＦ信号に対応する出力デジタル信号（ＤＳＩＧ１，ＤＳＩＧ２）を提供する請求項２および請求項７の何れかに記載の携帯電話テスト装置。
【請求項１３】
セルラ電話機をテストする装置であって、
前記セルラ電話機へとＲＦ信号（ＲＦ１０）を送信するためのＲＦ信号生成器（１２２）と、
前記セルラ電話機（１２７）からのＲＦ信号（ＲＦ１１）を受信して、この受信されたＲＦ信号（ＲＦ１１）の異なる特性に関連する第１および第２のデジタル信号（ＤＳＩＧ１４，ＤＳＩＧ１５）を生成するＲＦ受信機（１２９）と、
第１および第２のチャネルを通過するデジタル信号（ＤＳＩＧ３）を生成するためのデジタル信号生成器（１０２）と、
第１のアンテナ特定デジタル信号生成器（１０３）と、
第２のアンテナ特定デジタル生成器（１００）と、
を備え、
前記第１のチャネルにおける前記第１のデジタル信号生成器からの前記デジタル信号（ＤＳＩＧ３）は、前記ＲＦ受信機（１２９）からの前記第１のデジタル信号（ＤＳＩＧ１４）により変形され、前記第２のチャネルにおける前記デジタル信号は、前記ＲＦ受信機（１２９）からの前記第２のデジタル信号（ＤＳＩＧ１５）により変形され、前記第１のチャネルにおける前記変形デジタル信号（ＤＳＩＧ１２）は、前記第１のアンテナ特定デジタル信号生成器（１０３）より提供されたデジタル信号（ＤＳＩＧ２）によりさらに変形され、前記第２のチャネルにおける前記変形デジタル信号（ＤＳＩＧ１１）は前記第２のアンテナ特定デジタル信号生成器（１００）からのデジタル信号（ＤＳＩＧ１）によりさらに変形されており、
前記装置はさらに、
第１のチャネルに設けられて、このチャネルに沿って通過するさらに変形されたデジタル信号（ＤＳＩＧ５）を好適な変形パターンを複製するように変形する第１のフェーディングシミュレータ（１１２）と、
第２のチャネルに設けられて、このチャネルに沿って通過するさらに変形されたデジタル信号（ＤＳＩＧ４）を好適な変形パターンを複製するように変形する第２のフェーディングシミュレータ（１１６）と、
を備え、
前記第１および第２のフェーディングシミュレータからのデジタル信号（ＤＳＩＧ７，ＤＳＩＧ５）は、前記ＲＦ信号生成器（１２２）への入力信号（ＤＳＩＧ８，ＤＳＩＧ１０）を提供するように結合され、
前記フェーディングシミュレータが関係するデジタル信号を変形してＲＦ生成器（１２２）により提供されるＲＦ信号（ＲＦ１０）を変形しているので、前記セルラ電話は２つのチャネルにおける前記デジタル信号を変形するフェードバック信号（ＲＦ１１）を提供して測定可能な方法によりフェーディングシミュレータの効果を補償するようにしたセルラ電話をテストする装置。
【発明の詳細な説明】
【０００１】
【産業上の利用分野】
この発明はセルラ携帯電話機をテストすることに関し、特に第３世代（３Ｇ）セルラ携帯電話機をテストする方法に関する。３Ｇセルラ無線システムは、受信を改善し、ネットワークの全体の効率を増加させるためにＴｘダイバーシチーと呼ばれる新たな技術を採用するであろう。２つまたはそれ以上の生成器アンテナが各基地局で用いられるであろう。
【０００２】
【従来の技術】
携帯電話通信が基地局のアンテナと携帯電話機との間の双方向の信号の通信により提供されることは公知である。基地局と携帯電話機との間の通信路においては状況が変化するかも知れず、このことは例えばフェーディングのような問題を創出する。第１世代の（アナログ）携帯電話機においては、基地局から携帯電話機への（逆もまた同じ）チャネルに沿って供給される情報のレートは、基地局と携帯電話機との間の周囲の状況が１つのデータシンボルよりも少ないことに起因して、相対的に低速で遅延拡散されている。例えば、遅延拡散は、常に１５マイクロセコンド（マイクロ秒）またはそれ未満である。したがって、携帯電話機の受信機はこれを感知していない。
【０００３】
しかしながら、例えばＧＳＭのような、より最近の（第２世代の）携帯電話機においては、転送レートはより速くなってきており、このため、遅延拡散を情報レートとの同じ程度の大きさとすることも可能である（例えば、３．６マイクロ秒ごとの情報の１ピース）。その結果、ＧＳＭ携帯電話機により受信されたときの信号はエコー（反響雑音）を含んでいるかもしれない。異なる周囲の状況の効果に伴って種々の異なる経路を介して携帯電話機により信号が受信されているのかもしれないので、多数のエコーが含まれているかもしれない。
【０００４】
携帯電話機は、送信される情報を決定するために、各エコーの周波数を合わせたり、全てのまたは幾つかのエコーを混合したりすることにより、通常はこのエコーの問題に対処している。エコーは時間の多様性（time diversity）を示しているかも知れず、すなわち、同じデータ信号のエコーが異なる時間に（位相の外で）到来するかも知れず、その結果、エコーの位相関係に依存して、エコーは、フェーディングまたは信号の増大を創生できるように加算または減算するかもしれない。もしも２つのエコーが互いにキャンセルしあってその後、現在受信されている信号強度の基地局へと戻る表示を提供する携帯電話機は、基地局に対して電力の出力を増大させるように効果的に指示するであろうし、このことは多数の理由から好ましいことではない。
【０００５】
幾つかのまたは全ての基地局で、信号の波長の分数や倍数、例えば半波長、１波長、２波長により通常は分けられた２つ（またはそれ以上）のアンテナを提供することにより、また、携帯電話機がそれらを識別することができるアンテナ特定信号を送信してその後関連するアンテナ出力を別々に訂正するためのフィードバック信号を送信することにより、３Ｇ無線電話の基地局における上述した問題を克服または低減することが既に提案されている。
【０００６】
３Ｇ携帯電話機におけるＲＦ受信機は、２つのアンテナからの信号の関連する部分を分離することができるシステムを含んでいる。携帯電話機は、第１のアンテナにより受信された信号の電力と位相、および第２のアンテナにより受信された信号の電力と位相を計測し、２つのアンテナ間の位相および電力を基地局に調整させるために基地局へと信号を送信し戻しているので、携帯電話機における受信を改善している。実際には、各アンテナは、第１の構成要素が共通の情報（すなわち、トラフィックや携帯電話機へと送信されている情報に具体的に関連する情報）であり、第２の構成要素は携帯電話機がどちらのアンテナがどちらの信号を受信しているか識別できるようにするアンテナ特定信号（パイロット信号）である、２つの構成要素を含む信号を送信する。
【０００７】
携帯電話機は、各アンテナから受信された信号の位相と電力とを計測するためにパイロット信号を用いており、これにより、アンテナの出力を調整するために基地局に戻される情報を提供している。したがって、携帯電話機は、各アンテナからの複数のパイロット信号間の関係を設定する複合ベクトル信号を基地局に戻しており、一般的には各アンテナからの同一の電力や位相を得ることができるように試みることであろう。具体的なシステムにおいては、携帯電話機は、１秒間当たり１６００もの訂正信号を基地局に送信するであろうので、各アンテナからの信号の関連する強度や位相は、実時間で変化し、２つのアンテナにおける信号は訂正されてフェーディングの効果に対抗することになる。
【０００８】
このシステムに用いるために良いと考えられる携帯電話機の個別の設計（デザイン）のために、それを発見するか否かのための携帯電話機が、各アンテナからの信号を識別できるであろうし、信号の電力および位相を充分にかつ正確に計測できるであろうのでシステムを適切に動作させることをテストすることができることは必要である。
【０００９】
この出願は、携帯電話機、特に３Ｇ携帯電話機をこのようにテストする方法および装置に関するものである。もちろん、個々の携帯電話機を個別にテストすることも可能であるが、実際にはこの構成はその開発の間に携帯電話機のそれぞれの個別のデザインのために用いられることを志向していたので、そのデザインが必要な標準を満たすことを保証できる。このような装置はまた、適合テスト、研究および開発にも有用なものであり、それと同様に製造の過程でも有用なものである。
【００１０】
この装置および方法は実生活で見出される状況をシミュレート（模擬体験）するかも知れないので、２つのアンテナ間の信号は、特に静的なレベルに設定されているかも知れず、さらに動的に変化させられるかも知れない。
【００１１】
３Ｇ携帯電話機をテストするために用いられ得る従来のアプローチは、図１に線図的に示されている。それぞれが関連するＲＦ（無線周波数）信号出力、ＲＦ１，ＲＦ２をそれぞれ提供する２つ（またはそれ以上の）基地局シミュレータが設けられており、それぞれのＲＦ出力信号は各々のフェーディングシミュレータＦＳ１，ＦＳ２を通過しており、これにより、各々の新たなＲＦ信号ＲＦ３，ＲＦ４を提供することができる。これら２つのＲＦ信号は、加算器１１内で混合されて、この混合されたＲＦ信号ＲＦ５は、テストの下では同軸線１２Ａにより、抽出器（extractor ）１３を介して携帯電話機１４のアンテナ入力１５へと供給される。携帯電話機１４のアンテナは、（ＲＦ５と異なる周波数で）信号ＲＦ６を送信し、この信号は、抽出器１３へと通じ、ここでＲＦ５から分離され、信号プロセッサ１６へと供給され、このプロセッサはＲＦ３，ＲＦ４の電力と位相とにそれぞれ依存する２つの非ＲＦ信号出力ＳＩＧ７，ＳＩＧ８を提供している。これらの信号ＳＩＧ７，ＳＩＧ８は、基地局シミュレータＳ１，Ｓ２へと供給される。
【００１２】
このような構成は、もちろん、この技術分野のシステムを複製しており、２つの基底信号シミュレータは２つのアンテナにより生成された信号を複製するＲＦ信号を提供し、２つのＲＦ信号は、携帯電話機１４へと供給されるために足し合わされ、信号ＲＦ６は、アンテナへの戻り（リターン）信号を複製している。この構成およびこれらの一般的に関連する加算器１１、多種の同軸ケーブルおよび抽出器１３に結び付けられるたくさんの問題がある。この同軸ケーブルは重要である。同軸ケーブルの長さは、特に重要であり、それは同軸ケーブルの長さに沿って位相の変化があるからである。したがって、Ｓ１，Ｓ２と加算器１１との間のケーブルの長さという点では、意図しない位相の変化があるかもしれないし、加算器は位相変化を取り入れることができる。同軸ケーブルはまた、システムへの反射を取り入れることもできる。２つのフェーディングシミュレータを介して同一の電力出力を安定して維持し生成することはまた困難なことである。実際には、基地局シミュレータＳ１，Ｓ２とフェーディングシミュレータＦＳ１，ＦＳ２を含む種々の構成要素を調整するために同軸ケーブル１１に沿って通過する信号を計測することが必要となるので、携帯電話機１４に対して公知の所望のタイプの信号を提供することができる。
【００１３】
同様の問題は信号ＲＦ６を処理する際にも生じている。
この発明は上述した問題を低減または除去するために構成された方法および装置に関連している。
参照はまた、カール・Ｊ（Kall J）についてなされており：電子技術に関するヨーロッパ会議（ユーロコン―Eurocon―）のＧＳＭシステムシミュレータの手順（アメリカ合衆国、ニューヨーク、ＩＥＥＥ、vol. conf.８，１９８８，第４７８−４８１頁）は、ＣＥＰＴ／ＧＳＭの推薦に適合する携帯電話機をテストするときに用いられるべきエミュレーション（emulation―模倣・競争―）の修正と測定ツールを備えるＧＳＭシステムシミュレータを開示している。
参照はまた、米国特許第４，６６９，０９１号についてなされても良く、この文献は、多系統歪みを導く分散的送信経路における抑制キャリアデータのフレームまたはバーストの形態であっても良い情報を送信する通信システムを開示している。各フレームは、多系統歪みを反復的にシミュレートし、訂正された信号を形成するためにこの歪みを記憶されたフレームから引き算し、結果としての信号の品質を評価することにより、そのフレームが受信され処理されるように記憶されている。この結果としての信号の品質は、周波数を乗算されたキャリアというよりもむしろ、訂正された信号を乗算すると共に構成要素の全体の電力を評価する周波数により決定されている。双方向の手順は、遅延線から引き出された信号の位相と、もし望むのならば、その振幅とを調整している。
【００１４】
この発明は、無線周波数（ＲＦ）信号生成器からのＲＦ信号を受信すると共に、前記信号生成器により送信された前記ＲＦ信号の特性を変更するために受信機へＲＦ信号を送信するタイプの無線装置をテストする装置であって、
無線装置へ無線信号（ＲＦ１０）を送信するために、入力デジタル信号（ＤＳＩＧ１０）を受信する手段を含み、前記入力デジタル信号にしたがって送信された前記ＲＦ信号（ＲＦ１０）の特性を制御するＲＦ信号生成器と、
前記無線装置からのＲＦ信号（ＲＦ１１）を受信するために、受信された前記ＲＦ信号の特性に依存する特性を有する出力デジタル信号（ＤＳＩＧ１４，ＤＳＩＧ１５）を生成する手段を含むＲＦ受信機と、
デジタル信号（ＤＳＩＧ３）を生成し出力するためのデジタル信号生成器と、
前記デジタル信号生成器からの前記デジタル信号（ＤＳＩＧ３）を受け入れると共に前記ＲＦ受信機からの前記デジタル信号（ＤＳＩＧ１４，ＤＳＩＧ１５）を受け入れて、前記ＲＦ受信機からの前記デジタル信号（ＤＳＩＧ１４，ＤＳＩＧ１５）に基づいて、前記デジタル信号生成器からの前記デジタル信号（ＤＳＩＧ３）を変形し、前記ＲＦ信号生成器へと入力される前記デジタル信号（ＤＳＩＧ１０）の基底を提供するための第１の変形されたデジタル信号（ＤＳＩＧ１１，ＤＳＩＧ１２）を出力するために接続された信号変形手段と、
を備える携帯電話テスト装置を提供する。
【００１５】
この発明はまた、セルラ電話機をテストする装置であって、
前記セルラ電話機へとＲＦ信号（ＲＦ１０）を送信するためのＲＦ信号生成器と、
前記セルラ電話機からのＲＦ信号（ＲＦ１１）を受信して、この受信されたＲＦ信号（ＲＦ１１）の異なる特性に関連する第１および第２のデジタル信号（ＤＳＩＧ１４，ＤＳＩＧ１５）を生成するＲＦ受信機と、
第１および第２のチャネルを通過するデジタル信号（ＤＳＩＧ３）を生成するためのデジタル信号生成器と、
第１のアンテナ特定デジタル信号生成器と、
第２のアンテナ特定デジタル生成器と、
を備え、
前記第１のチャネルにおける前記第１のデジタル信号生成器からの前記デジタル信号（ＤＳＩＧ３）は、前記ＲＦ受信機からの前記第１のデジタル信号（ＤＳＩＧ１４）により変形され、前記第２のチャネルにおける前記デジタル信号は、前記ＲＦ受信機からの前記第２のデジタル信号（ＤＳＩＧ１５）により変形され、前記第１のチャネルにおける前記変形デジタル信号（ＤＳＩＧ１２）は、前記第１のアンテナ特定デジタル信号生成器より提供されたデジタル信号（ＤＳＩＧ２）によりさらに変形され、前記第２のチャネルにおける前記変形デジタル信号（ＤＳＩＧ１１）は前記第２のアンテナ特定デジタル信号生成器からのデジタル信号（ＤＳＩＧ１）によりさらに変形されており、
前記装置はさらに、
第１のチャネルに設けられて、このチャネルに沿って通過するさらに変形されたデジタル信号（ＤＳＩＧ５）を好適な変形パターンを複製するように変形する第１のフェーディングシミュレータと、
第２のチャネルに設けられて、このチャネルに沿って通過するさらに変形されたデジタル信号（ＤＳＩＧ４）を好適な変形パターンを複製するように変形する第２のフェーディングシミュレータと、
を備え、
前記第１および第２のフェーディングシミュレータからのデジタル信号（ＤＳＩＧ７，ＤＳＩＧ５）は、前記ＲＦ信号生成器への入力信号（ＤＳＩＧ８，ＤＳＩＧ１０）を提供するように結合され、
前記フェーディングシミュレータが関係するデジタル信号を変形してＲＦ生成器により提供されるＲＦ信号（ＲＦ１０）を変形しているので、前記セルラ電話は２つのチャネルにおける前記デジタル信号を変形するフェードバック信号（ＲＦ１１）を提供して測定可能な方法によりフェーディングシミュレータの効果を補償するようにしたセルラ電話をテストする装置を提供しても良い。
【００１６】
この発明はまた、所定の特性を有するアナログ信号を供給する装置であって、
入力デジタル信号（ＤＳＩＧ１０）を受信すると共に、これに入力されるこの入力デジタル信号（ＤＳＩＧ１０）により決定される特性を有する出力アナログ信号（ＲＦ１０）を供給するアナログ信号生成器と、
デジタル信号（ＤＳＩＧ４，ＤＳＩＧ５）を受信する手段と、少なくとも１セットのデジタル手段と、を備える前記入力デジタル信号を提供する手段と、を備え、前記デジタル手段の各セット（Ａ，Ｂ，Ｃ）は、
前記アナログ信号の第１の特性に関連する第１のデジタル信号要素を提供する第１のデジタル手段と、
前記アナログ信号の第２の特性に関連する第２のデジタル信号要素を提供する第２のデジタル手段（ＭＡ，ＭＢ，ＭＣ）と、
前記入力信号を提供するための前記デジタル信号要素を前記アナログ信号生成器に結合する手段と、
を備える装置を提供しても良い。
【００１７】
【発明の実施の形態】
以下、この発明の好適な実施形態について実施例の方法により添付図面を参照しながら説明する。
【００１８】
図２を参照すると、基底帯域（ベースバンド―baseband―すなわち非ＲＦ）デジタル信号生成器１００、１０２，１０３が示されており、信号生成器１００は第１のアンテナのパイロット信号に関係するアンテナ特定符号化信号ＤＳＩＧ１を生成している。デジタルである、この出力信号ＤＳＩＧ１は、線１０４に沿って乗算器（multiplier）１０５へと供給される。基底帯域デジタル信号生成器１０３は、生成器１００により生成された信号と同様ではあるが第２のアンテナのパイロット信号に関係するアンテナ特定符号化信号ＤＳＩＧ２を生成している。出力デジタル信号ＤＳＩＧ２は線１０６を介して乗算器１０７に供給される。
【００１９】
基底帯域デジタル信号生成器１０２は、デジタル形式で、（例えば、トラフィック信号キャリア、例えば電話のメッセージに対応する）共通チャネル信号ＤＳＩＧ３を提供するように配置され、この信号は、線１０６および乗算器１１１，１１２を介してそれぞれ乗算器１０５，１０７に供給される。乗算器１０５のデジタル出力信号ＤＳＩＧ４は、線１１３を介して、図３を用いて後で詳細に説明するフェーディングシミュレータ１１６へ供給され、乗算器１０７のデジタル出力信号ＤＳＩＧ５は、同様に線１１４に沿って、図３を用いて後で詳細に説明するフェーディングシミュレータ１１２へ供給されている。フェーディングシミュレータ１１６の出力信号ＤＳＩＧ６は、線１１８を介して加算器１１９へ供給され、同様にフェーディングシミュレータ１１２の出力信号ＤＳＩＧ７は、線１１７を介して加算器１１９の他方の入力へと供給されている。加算器１１９の出力信号ＤＳＩＧ８は、加算器１２１を介して無線周波数信号生成器１２２へ供給されている。加算器１２１はまた、スイッチ１２３を介して雑音生成器、特に（ネットワーク上のトラフィックをシミュレートする）加算的ガウス白雑音生成器に接続されている。生成器１２２への信号入力がデジタル基底帯域信号であることは注目されるであろう。
【００２０】
構成要素１０３，１１２，１０７，１１２は第１のチャネルＡを提供し、構成要素１００，１１１，１０５，１１６は第２のチャネルＢを提供している。
【００２１】
信号生成器１２２からのＲＦ出力信号ＲＦ１０は、同軸ケーブルの形態をとりテストの状況下では分離器（separator）１２５を介して携帯電話機１２７のアンテナ入力に接続されたＲＦ線１２７へと供給されている。
【００２２】
分離機により分離されたときの携帯電話機のアンテナポートからの無線周波数出力信号ＲＦ１１は、同軸線１２８を介して処理装置１２９へと供給される。
【００２３】
処理装置１２９は受信された信号を処理すると共に線１３１と１３２に２つの出力信号Ｗ１とＷ２をそれぞれ供給しており、これらの信号は乗算器１１２，１１１の他方の入力へとそれぞれ供給されている。
【００２４】
図２の装置は、以下のように動作する。
テストされるべき携帯電話機１２７は、図２に示されるような装置に接続される。携帯電話機は、設計または開発段階の電話機であっても良く、この装置は設計上の動作の効率をテストするために用いられても良いし、あるいはまた、携帯電話機の製品をテストするために用いられても良い。
【００２５】
携帯電話機のアンテナまたはアンテナポートは、適合するコネクタを介して同軸線１３０に接続されている。
【００２６】
使用においては、２つの基底帯域デジタル信号生成器１００，１０３が各々のデジタル基底帯域信号を供給し、そのそれぞれは、それぞれの乗算器１０５，１０７で、信号生成器１０２より供給される共通チャネル信号に掛け合わされる。フェーディングシミュレータ１１６，１１７は、（後述する）予め取り決められたスケジュールにしたがって動作させられており、それぞれのフェーディングシミュレータからのこの２つの信号は加算器１１９で結合され、さらに加算器１２１で白信号雑音と結合されており、この結合されたデジタル信号はＲＦ信号生成器１２２を制御するために用いられており、この信号生成器は結合されたデータ信号に基づいて信号ＲＦ１０を提供している。
【００２７】
第１のテスト手順において、各種の信号生成器１００，１０２，１０３の出力とフェーディングシミュレータ１１６，１１７の動作とは、プリセット静的状態に設定されるので、公知の電力レベルと位相となると共に公知のオフセットであるＲＦ信号に関係するデジタル信号を１１８，１１７で生成できる。携帯電話機１２７は、このようにテストされ、この電話機１２７により決定された関連する値が公知のオフセットや公知の信号レベルと比較されて、これらの値は特定された限度の範囲内に合致していなければならない。
【００２８】
後述する予め取り決められるスケジュールにしたがって動作させられるフェーディングシミュレータ１１６，１１７内の装置の第２の動作を説明する前に、この箇所ではこの発明の好適な実施形態で用いられるフェーディングシミュレータの動作を説明しておくことが好都合である。
【００２９】
ここで、図３にしたがってフェーディングシミュレータ１１７，１１６を説明する。フェーディングシミュレータは、入力信号ＤＳＩＧ４またはＤＳＩＧ５を取り込んで出力信号ＤＳＩＧ６またはＤＳＩＧ７をそれぞれ生成する装置でありって：
（ａ）  出力信号の位相は入力信号の位相に関して選択的に変化し、出力信号の振幅は入力信号の振幅に関連して選択的に変化し、および／または
（ｂ）  出力信号ＤＳＩＧ６またはＤＳＩＧ７はエコーに対応する複数の構成要素を含み、これら複数の構成要素のそれぞれが入力に関すると共に互いに関して可変の振幅と可変の位相とを有している。
【００３０】
本質的には、フェーディングシミュレータに対する入力信号（ＤＳＩＧ１４，ＤＳＩＧ１５）は、複数の並列チャネルＡ，Ｂ，Ｃに供給され、これらのチャネルのそれぞれはそれぞれの可変遅延装置（２００，２０１，２０２）を含んでいる。遅延装置により生成された信号に対する遅延は、静的に構成されていても良く、あるいは、遅延装置は各々の遅延装置に供給される各々の遅延制御信号（ＳＡ，ＳＢ，ＳＣ）により、公知のまたは任意の方法により遅延を変化させるように制御されていても良い。
【００３１】
各遅延の出力は、それぞれの乗算器（ＭＡ，ＭＢ，ＭＣ）へと供給される。それぞれの乗算器は、複合制御信号（ＰＡ，ＰＢ，ＰＣ）が供給されている入力を有し、この複合信号は公知または任意の方法により予め設定されるか変更されるかしている。乗算器の出力は、単一の信号出力（ＤＳＩＧ６，ＤＳＩＧ５）を提供するために加算器（２０３）内で結合されており、この出力は遅延の数にしたがった多数の構成要素を有する信号を搬送し、これにより遅延は独立した可変の振幅と独立した可変の位相シフトとを有しており、この振幅と位相シフトとは、静的であっても良いし、公知のパターンにしたがって、または任意の方法によって変化させられても良い。チャネルＡ，Ｂ，Ｃにより生成されるこれらの信号の構成要素のそれぞれは、ＲＦ信号（ＲＦ１０）内の分離したエコーにそれぞれ効果的に対応するであろうし、あたかもそれらがこの技術分野で生成されるエコーであるかのように携帯電話機により取り扱われるであろう。
【００３２】
次に、この装置の第２の動作において、入力信号ＤＳＩＧ４またはＤＳＩＧ５に対して振幅および位相に関して固定された関係を有する多数の構成要素を信号ＤＳＩＧ６またはＤＳＩＧ７が備える装置の第１の動作と対照的に、ＤＳＩＧ６およびＤＳＩＧ７の構成要素の位相および振幅は、任意の方法または所定の方法の何れかにより時間と共に変化するであろう。（所定パターンの変化を用いることは、パターンがその変化に対して全く同じ信号を用いて他の異なる携帯電話機と比較させることができるので、有用である。）
携帯電話機の効率および動作がこの場合のようにテストされているやり方は、予めは取り決められたデジタルパターンを提供するために信号生成器１０２について取り決めるものであり、さらにエラービットレートを報告するために携帯電話機についても取り決めるものである。このエラービットレートは、所定の限界の範囲内に収められなければならないし、またそれはフィードバック配置をオフに切り換える（例えばリンク１２８を遮断する）ことにより、この発明をシステムに実用化するときに携帯電話機がこの発明によるシステムを用いないときよりも改善されたエラービットレートを提供することが示されていても良い。
【００３３】
この発明が、この使用環境の中で携帯電話機をテストする際に、改善された装置を提供していることは理解されることであろう。
【００３４】
上述した構成において、単一のＲＦ信号生成器１２２のみが設けられており、２つのアンテナのシミュレーションは信号生成器１００，１０２，１０３とフェーディングシミュレータ１１６，１１７との間の基底帯域デジタル領域だけで行なわれている。この点では信号はデジタルであるので、相対的なレベルと位相とは非常に安定的に制御することができる。
【００３５】
これは（それぞれのアンテナに関して）主として相対的な値が重要であり、それらの値は全てデジタル領域であるので、このシステムは元来安定している。絶対値は、より一層容易に制御されるし、たった１つのＲＦ生成器のみが必要である。
【００３６】
この発明は詳細に上述した具体的な実施例に限定されない。
【００３７】
加算的なガウス白雑音生成器１２４は、図２に示されている実施例においてはデジタル領域で加算されているが、もしも必要ならばＲＦ信号生成器１２２からの出力へと供給することもできる雑音源を供給する。提供された構成によれば、このようなたった１つの雑音源が要求されている。
【図面の簡単な説明】
【図１】  従来の３Ｇ携帯電話機をテストする装置を線図的に示すブロック図である。
【図２】  この発明の装置を線図的に示すブロック図である。
【図３】  各フェードシミュレータの構成を線図的な形式で示すブロック図である。
【符号の説明】
ＤＳＩＧ１０  入力デジタル信号
ＤＳＩＧ３，ＤＳＩＧ４，ＤＳＩＧ５，ＤＳＩＧ１１，ＤＳＩＧ１２，ＤＳＩＧ１４，ＤＳＩＧ１５  デジタル信号
ＤＳＩＧ１，ＤＳＩＧ２  出力デジタル信号
ＲＦ１０  無線信号
１００  第２のデジタル信号生成器
１０２  （第１の）デジタル信号生成器
１０３  第３デジタル信号生成器
１１１  信号変形手段
１１２  信号変形手段（第１のフェーディングシミュレータ）
１１６第２のフェーディングシミュレータ
１２２  無線周波数信号生成器
１２７  無線装置
１２９  無線受信機
２００，２０１，２０２  第１のデジタル手段
ＭＡ，ＭＢ，ＭＣ  第２のデジタル手段
２０３  結合する手段
【図１】
0004397557.tif 000002
【図２】
0004397557.tif 000003
【図３】
0004397557.tif 000004